(57)【要約】【課題】入力又は検出される位置情報に基づいてデジタル放送受信部あるいはアナログ放送受信部のいずれか一方を動作させることにより、実際に視聴を行う放送の受信部のみをユーザの視聴タイミングに合わせて動作させることができ、低消費電力で、その位置にて良好な受信状態の放送を視聴することを可能にする放送受信装置を提供すること。【解決手段】放送起動制御部１４は、入出力部１３から位置情報が入力されると、その位置情報に基づいて、アナログ放送あるいはデジタル放送のいずれかを受信すべきかを判断し、アナログ放送受信部１１あるいはデジタル放送受信部１２のいずれかの起動、あるいは一方の受信部から他方の受信部への切り替え動作を行う。【選択図】図１
2007221390.tif 000002
【特許請求の範囲】
【請求項１】
移動体装置に搭載される放送受信装置であって、
アナログ放送を受信するアナログ放送受信手段と、
デジタル放送を受信するデジタル放送受信手段と、
アナログ放送又はデジタル放送を出力するとともに位置情報を入力する入出力手段と、
前記入出力手段から入力された位置情報に基づいて、前記アナログ放送受信部あるいは前記デジタル放送受信部のいずれか一方を起動する放送起動制御手段と、を具備することを特徴とする放送受信装置。
【請求項２】
現在位置を検出する位置情報検出手段を具備し、
前記放送起動制御手段は、前記位置情報検出手段により検出される位置情報に基づいて、前記アナログ放送受信部あるいは前記デジタル放送受信部のいずれか一方を起動することを特徴とする請求項１記載の放送受信装置。
【請求項３】
前記放送起動制御手段は、前記位置情報の入力時又は前記位置情報検出時に、前記アナログ放送及び前記デジタル放送が両方とも受信可能かを判断し、受信可能である場合は、どちらの放送を起動すべきかの問合せを前記入出力手段に対して行い、該入出力手段からの応答により前記アナログ放送受信手段あるいは前記デジタル放送受信手段のいずれか一方を起動することを特徴とする請求項１又は２記載の放送受信装置。
【請求項４】
前記位置情報毎に受信可能な放送種別を管理する管理情報を格納する放送エリア管理サーバとネットワークを介して通信を行う通信制御手段と、
前記位置情報毎に受信可能な放送に関する管理情報を格納する放送エリア管理手段と、
前記通信制御手段により前記放送エリア管理サーバから前記管理情報を受信して前記放送エリア管理手段に格納された管理情報を更新する管理情報更新手段と、を具備し、
前記放送起動制御手段は、前記入力された位置情報、または前記検出された位置情報に基づいて、前記管理情報を参照して前記アナログ放送受信手段あるいは前記デジタル放送受信手段のいずれか一方を起動することを特徴とする請求項１から３の何れかに記載の放送受信装置。
【請求項５】
前記ネットワーク上に配置された前記位置情報毎に受信可能な放送種別を判定する放送エリア判定サーバとの間で前記通信制御手段により通信を行い、自装置の種別情報と前記位置情報を送信して放送種別の判定結果を受信し、該判定結果に基づいて前記デジタル放送受信手段のいずれか一方を起動するリモート放送起動制御手段を具備することを特徴とする請求項１から４の何れかに記載の放送受信装置。
【発明の詳細な説明】
【技術分野】
【０００１】
本発明は放送受信装置に関し、特に、携帯電話機、携帯情報端末等の省電力動作が求められる移動体装置に搭載される放送受信装置に関する。
【背景技術】
【０００２】
高機能化が進む携帯電話機において、アナログテレビ放送の受信機能を有するものが存在する。さらに、携帯電話機向けのデジタルテレビ放送のサービス開始に向けて、携帯電話機にデジタルテレビ放送受信機能を搭載するための開発が進められている。
【０００３】
近年、デジタルテレビ放送サービスの開始に伴い、アナログテレビ放送からデジタルテレビ放送への移行が、東名阪を皮切りに日本各地で進められており、数年間はデジタルテレビ放送サービスとアナログテレビ放送サービスが共存する状態が継続する。
【０００４】
デジタルテレビ放送の受信装置では、誤り訂正機能によって高い受信品質を確保するようにしている。しかしながら、デジタルテレビ放送では、受信電波の電界強度がある程度以下になると、誤り訂正機能が働かなくなり放送が全く映らなくなる。一方、アナログテレビ放送の場合は、受信電波の電界強度が大きい時でもマルチパスの影響でゴーストが発生したり、色にじみが発生してしまうという不利な点はあるものの、移動に伴って受信電波の電界強度が小さくなった場合、映像や音声の品質は低下するものの、視聴を継続することは可能である。
【０００５】
以上のようなデジタルテレビ放送とアナログテレビ放送の特性の違いを利用して、移動に伴う受信状態の変化に適切に対応する装置として、例えば、特許文献１に記載された移動体用放送受信装置がある。この移動体用放送受信装置では、デジタルテレビ放送あるいはアナログテレビ放送の少なくとも一方の受信状態に基づいて、デジタルテレビ放送とアナログテレビ放送の出力を切り替えるようにしている。
【特許文献１】特開２０００−３３２６３２号公報
【発明の開示】
【発明が解決しようとする課題】
【０００６】
しかしながら、上記従来の移動体用放送受信装置では、移動に伴う受信状態の変化に適切に対応するためには、デジタルテレビ放送とアナログテレビ放送の受信状態を常にモニターし、２つの受信状態の比較により、より良好な受信状態の放送を選択する必要があり、デジタルテレビ放送受信部とアナログテレビ放送受信部の両方を動作させておく必要があるため、移動体装置の消費電力が大きくなり、移動体装置の利用時間を短くしてしまうという問題がある。
【０００７】
本発明は係る点に鑑みてなされたものであり、入力又は検出される位置情報に基づいてデジタル放送受信部あるいはアナログ放送受信部のいずれか一方を動作させることにより、実際に視聴を行う放送の受信部のみをユーザの視聴タイミングに合わせて動作させることができ、低消費電力で、その位置にて良好な受信状態の放送を視聴することを可能にする放送受信装置を提供することを目的とする。
【課題を解決するための手段】
【０００８】
本発明の放送受信装置は、移動体装置に搭載される放送受信装置であって、アナログ放送を受信するアナログ放送受信手段と、デジタル放送を受信するデジタル放送受信手段と、アナログ放送又はデジタル放送を出力するとともに位置情報を入力する入出力手段と、前記入出力手段から入力された位置情報に基づいて、前記アナログ放送受信部あるいは前記デジタル放送受信部のいずれか一方を起動する放送起動制御手段と、を具備する構成を採る。
【０００９】
この構成によれば、実際に視聴を行う放送の受信部のみをユーザの視聴タイミングに合わせて動作させることができ、低消費電力で、その位置にて良好な受信状態の放送を視聴することが可能になる。
【００１０】
また、本発明の放送受信装置は、請求項１記載の放送受信装置において、現在位置を検出する位置情報検出手段を具備し、前記放送起動制御手段は、前記位置情報検出手段により検出される位置情報に基づいて、前記アナログ放送受信部あるいは前記デジタル放送受信部のいずれか一方を起動する構成を採る。
【００１１】
この構成によれば、実際に視聴を行う放送の受信部のみをユーザの視聴タイミングに合わせて動作させることができ、低消費電力で、その位置にて良好な受信状態の放送を視聴することが可能になる。
【００１２】
また、本発明の放送受信装置は、請求項１又は２記載の放送受信装置において、前記放送起動制御手段は、前記位置情報の入力時又は前記位置情報検出時に、前記アナログ放送及び前記デジタル放送が両方とも受信可能かを判断し、受信可能である場合は、どちらの放送を起動すべきかの問合せを前記入出力手段に対して行い、該入出力手段からの応答により前記アナログ放送受信手段あるいは前記デジタル放送受信手段のいずれか一方を起動する構成を採る。
【００１３】
この構成によれば、ユーザが希望する受信部を起動するようにしたため、現在位置においてユーザが所望する放送受信部を確実に起動させることができ、放送受信装置の使い勝手を向上させることができる。
【００１４】
また、本発明の放送受信装置は、請求項１から３の何れかに記載の放送受信装置において、前記位置情報毎に受信可能な放送種別を管理する管理情報を格納する放送エリア管理サーバとネットワークを介して通信を行う通信制御手段と、前記位置情報毎に受信可能な放送に関する管理情報を格納する放送エリア管理手段と、前記通信制御手段により前記放送エリア管理サーバから前記管理情報を受信して前記放送エリア管理手段に格納された管理情報を更新する管理情報更新手段と、を具備し、前記放送起動制御手段は、前記入力された位置情報、または前記検出された位置情報に基づいて、前記管理情報を参照して前記アナログ放送受信手段あるいは前記デジタル放送受信手段のいずれか一方を起動する構成を採る。
【００１５】
この構成によれば、放送エリアの拡張に伴い登録された位置情報に対応する放送種別が変更されても、最新の放送種別に対応した受信部の起動を行うことができ、放送受信装置の利便性を向上させることができる。
【００１６】
また、本発明の放送受信装置は、請求項１から４の何れかに記載の放送受信装置において、前記ネットワーク上に配置された前記位置情報毎に受信可能な放送種別を判定する放送エリア判定サーバとの間で前記通信制御手段により通信を行い、自装置の種別情報と前記位置情報を送信して放送種別の判定結果を受信し、該判定結果に基づいて前記デジタル放送受信手段のいずれか一方を起動するリモート放送起動制御手段を具備する構成を採る。
【００１７】
この構成によれば、移動体装置の移動に伴って現在位置にて受信可能な放送に対応した受信部の起動を適宜行うことができ、実際に視聴を行う放送の受信部のみをユーザの視聴タイミングに合わせて動作させることができ、低消費電力で、その位置にて良好な受信状態の放送を視聴することが可能になる。
【発明の効果】
【００１８】
本発明によれば、実際に視聴を行う放送の受信部のみをユーザの視聴タイミングに合わせて動作させることができ、低消費電力で、その位置にて良好な受信状態の放送を視聴することが可能になる。
【発明を実施するための最良の形態】
【００１９】
以下、本発明の実施の形態について図面を参照して詳細に説明する。
【００２０】
（実施の形態１）
図１は、本実施の形態１の放送受信装置１の構成を示すブロック図であり、この放送受信装置１は携帯電話機等の移動体装置に搭載される。
【００２１】
図１において、放送受信装置１は、アナログ放送受信部１１と、デジタル放送受信部１２と、入出力部１３と、放送起動制御部１４と、分配器１５と、アンテナ１６と、から構成される。
【００２２】
アナログ放送受信部１１は、アンテナ１６及び分配器１５を介してアナログテレビ放送信号を受信し、そのアナログテレビ放送信号から音声信号と映像信号を復調して入出力部１３に出力する。また、アナログ放送受信部１１の起動は、放送起動制御部１４により制御される。
【００２３】
デジタル放送受信部１２は、アンテナ１６及び分配器１５を介してデジタルテレビ放送信号を受信し、そのデジタルテレビ放送信号から音声信号と映像信号を復調して入出力部１３に出力する。また、デジタル放送受信部１２の起動は、放送起動制御部１４により制御される。
【００２４】
入出力部１３は、アナログテレビ放送及びデジタルテレビ放送に関する指示や位置情報等を入力するキー入力デバイス等から構成される入力機能と、アナログ放送受信部１１又はデジタル放送受信部１２から入力される音声信号と映像信号を出力するスピーカーや表示デバイスにより構成される出力機能と、を有する。
【００２５】
放送起動制御部１４は、アナログ放送受信部１１あるいはデジタル放送受信部１２のいずれか一方を起動し、または、いずれかの受信部１１，１２が既に起動中の場合は、現在起動中の受信部を停止し、他方の受信部の起動に切り替える起動制御を実行する。また、放送起動制御部１４は、入出力部１３から位置情報が入力されると、その位置情報に基づいて、アナログ放送あるいはデジタル放送のいずれかを受信すべきかを判断し、アナログ放送受信部１１あるいはデジタル放送受信部１２のいずれかの起動、あるいは一方の受信部から他方の受信部への切り替え動作を行う。
【００２６】
分配器１５は、アンテナ１６により受信されるアナログテレビ放送信号をアナログ放送受信部１１に分配し、アンテナ１６により受信されるデジタルテレビ放送信号をデジタル放送受信部１２に分配する。
【００２７】
アンテナ１６は、複数のアンテナ素子により構成され、アナログテレビ放送信号とデジタルテレビ放送信号をダイバーシティ受信して分配器１５に出力する。なお、アンテナ１６は、アナログ放送受信部１１用とデジタル放送受信部１２用を個別に設けて、分配器１５を省略するようにしてもよい。
【００２８】
次に、上記放送起動制御部１４における動作について、図２に示すフローチャートを参照して説明する。
【００２９】
図２において、放送起動制御部１４は、入出力部１３からの位置情報の入力の有無を確認する（ステップＳ１０１）。ユーザが入出力部１３から位置情報を入力する場合、例えば、「横浜市都筑区」といった都道府県名や市町村名等を直接入力する方法が考えられる。あるいは、予め記憶した複数の選択肢からユーザが選択する場合は、郵便番号や電話番号等の位置情報を特定するための情報を入力すること等が考えられる。
【００３０】
放送起動制御部１４は、入出力部１３から位置情報が入力されると（ステップＳ１０１：ＹＥＳ）、その位置情報に基づいて、アナログ放送あるいはデジタル放送のいずれかを動作させるべきかを判断する（ステップＳ１０２）。放送起動制御部１４は、当該位置においてアナログ放送を動作させるべきと判断した場合、デジタル放送受信部１２が起動中か否かを確認する（ステップＳ１０３）。デジタル放送受信部１２が起動中でれば（ステップＳ１０３：ＹＥＳ）、放送起動制御部１４は、デジタル放送受信部１２を停止し（ステップＳ１０４）、アナログ放送受信部１１を起動して（ステップＳ１０５）、本処理を終了する。また、デジタル放送受信部１２が起動中でなければ（ステップＳ１０３：ＮＯ）、放送起動制御部１４は、ステップＳ１０５に移行する。
【００３１】
また、放送起動制御部１４は、ステップＳ１０２において、当該位置においてデジタル放送を動作させるべきと判断した場合、アナログ放送受信部１１が起動中か否かを確認する（ステップＳ１０６）。アナログ放送受信部１１が起動中であれば（ステップＳ１０６：ＹＥＳ）、放送起動制御部１４は、アナログ放送受信部１１を停止し（ステップＳ１０７）、デジタル放送受信部１２を起動して（ステップＳ１０８）、本処理を終了する。また、アナログ放送受信部１１が起動中でなければ（ステップＳ１０６：ＮＯ）、放送起動制御部１４は、ステップＳ１０８に移行する。
【００３２】
以上のように、本実施の形態１の放送受信装置によれば、入力される位置情報に基づいて、当該位置においてアナログ放送あるいはデジタル放送のいずれかを動作させるべきかを判断し、アナログ放送受信部あるいはデジタル放送受信部のいずれか一方を起動するようにしたため、実際に視聴を行う放送の受信部のみをユーザの視聴タイミングに合わせて動作させることができ、低消費電力で、その位置にて良好な受信状態の放送を視聴することが可能になる。
【００３３】
（実施の形態２）
図３は、本実施の形態２における放送受信装置２０の構成を示すブロック図である。図３において、上記図１に示した放送受信装置１と同一の構成部分には同一符号を付しており、その構成説明を省略する。
【００３４】
図３に示す放送受信装置２０において、異なる構成部分は、追加した位置情報検出部２１と、この位置情報検出部２１により検出される現在位置情報に基づいて動作する放送起動制御部２２である。
【００３５】
位置情報検出部２１は、放送受信装置２０が搭載される携帯電話機が持つＧＰＳ（Global Positioning System ）機能、あるいは携帯電話通信網の基地局との情報交換等によって現在位置を検出し、現在位置情報を放送起動制御部２２に出力する。
【００３６】
放送起動制御部２２は、位置情報検出部２１から現在位置情報が入力されると、当該位置においてアナログ放送あるいはデジタル放送のいずれかを起動すべきかを判断し、アナログ放送受信部１１あるいはデジタル放送受信部１２のいずれかを起動、あるいは起動中の一方の受信部を停止して他方の受信部への起動に切り替える。
【００３７】
以上のように、本実施の形態２の放送受信装置によれば、現在地を検出する機能を有するため、ユーザは位置情報を入力する必要がなくなり、自動的にアナログ放送あるいはデジタル放送の内、良好な受信状態の放送を視聴することが可能になる。
【００３８】
（実施の形態３）
本実施の形態３の放送受信装置は、上記図３に示した構成と同一であるため、構成の図示及び説明は省略する。本実施の形態３では、放送起動制御部２２の動作に特徴があるため、この動作について図４に示すフローチャートを参照して説明する。
【００３９】
図４において、放送起動制御部２２は、入出力部１３からの位置情報の入力有無、あるいは位置情報検出部２１からの現在位置情報の入力有無を確認する（ステップＳ２０１）。入出力部１３から位置情報、あるいは位置情報検出部２１から現在位置情報が入力されると（ステップＳ２０１：ＹＥＳ）、その位置情報を保持し、アナログ放送及びデジタル放送両方の受信状態が良好か、あるいは不良かを判断する（ステップＳ２０２）。
【００４０】
放送起動制御部２２は、アナログ放送及びデジタル放送両方の受信状態が良好あるいは不良であると判断した場合（ステップＳ２０２：ＹＥＳ）、アナログ放送あるいはデジタル放送のいずれの起動を望むかを問い合わせるメッセージを入出力部１３に出力して、ユーザに所望の放送を問い合わせ（ステップＳ２０３）、ユーザによる入出力部１３からの放送指示の有無を確認する（ステップＳ２０４）。
【００４１】
放送起動制御部２２は、ユーザにより放送指示が入力されアナログ放送を指示された場合は、ステップＳ２０９に移行してデジタル放送受信部１２が起動中か否かを確認する。デジタル放送受信部１２が起動中でれば（ステップＳ２０９：ＹＥＳ）、放送起動制御部２２は、デジタル放送受信部１２を停止し（ステップＳ２１０）、アナログ放送受信部１１を起動して（ステップＳ２１１）、本処理を終了する。また、デジタル放送受信部１２が起動中でなければ（ステップＳ２０９：ＮＯ）、放送起動制御部２２は、ステップＳ２１１に移行する。
【００４２】
また、放送起動制御部２２は、ユーザにより放送指示が入力されデジタル放送を指示された場合は、ステップＳ２０５に移行してアナログ放送受信部１１が起動中か否かを確認する。アナログ放送受信部１１が起動中でれば（ステップＳ２０５：ＹＥＳ）、放送起動制御部２２は、アナログ放送受信部１１を停止し（ステップＳ２０６）、デジタル放送受信部１２を起動して（ステップＳ２０７）、本処理を終了する。また、アナログ放送受信部１１が起動中でなければ（ステップＳ２０５：ＮＯ）、放送起動制御部２２は、ステップＳ２０７に移行する。
【００４３】
また、放送起動制御部２２は、ステップＳ２０４において、ユーザにより放送指示が入力されなかった場合、又は、ステップＳ２０２においてアナログ放送及びデジタル放送両方の受信状態が良好あるいは不良でないと判断した場合（ステップＳ２０２：ＮＯ）、ステップＳ２０８に移行して、ステップＳ２０２で保持した位置情報に基づいて、アナログ放送あるいはデジタル放送のいずれかを動作させるべきかを判断する。放送起動制御部２２は、当該位置においてアナログ放送を動作させるべきと判断した場合はステップＳ２０９に移行し、デジタル放送を動作させるべきと判断した場合はステップＳ２０５に移行する。
【００４４】
以上のように、本実施の形態３の放送受信装置によれば、入力あるいは検出された位置情報に基づいて、当該位置におけるアナログ放送あるいはデジタル放送のいずれか一方を動作させるべきか判断する前に、両放送の受信状態が良好か不良かを判断し、両放送とも良好か不良の場合はどちらの放送の起動を望むかを問い合わせるメッセージによりユーザに問い合わせ、ユーザが希望する受信部を起動するようにしたため、現在位置においてユーザが所望する放送受信部を確実に起動させることができ、放送受信装置の使い勝手を向上させることができる。
【００４５】
（実施の形態４）
図５は、本実施の形態４における放送受信装置３０の構成を示すブロック図である。図５において、上記図１及び図３に示した放送受信装置と同一の構成部分には同一符号を付しており、その構成説明を省略する。
【００４６】
図５に示す放送受信装置３０において、異なる構成部分は、放送エリア管理テーブル３１Ａを有する放送起動制御部３１と、放送エリア管理テーブル更新部３２と、通信制御部３３である。放送受信装置３０は、通信制御部３３によりネットワークＮを介して放送エリア情報管理サーバ１００と接続される。
【００４７】
放送エリア管理テーブル３１Ａは、図６に示すように、位置情報として市町村区名を登録し、位置情報毎に利用可能な放送種別の情報として「両方、デジタル、アナログ、・・・」を登録している。なお、他の位置情報として、郵便番号や電話番号、軽度／緯度の範囲等のエリアが特定可能な情報を登録するようにしてもよい。
【００４８】
放送起動制御部３１は、入出力部１３から入力される位置情報あるいは位置情報検出部２１により検出される位置情報に対して、放送エリア管理テーブル３１Ａを参照して、アナログ放送、デジタル放送、あるいはいずれを起動するかユーザ問合せを選択する。
【００４９】
放送エリア管理テーブル更新部３２は、通信制御部３３を用いてネットワークＮ上に存在する放送エリア情報管理サーバ１００との間で放送エリア管理テーブルに関する情報（放送受信装置３０の装置ＩＤ、放送エリア管理情報等）の送受信処理を実行し、放送エリア情報管理サーバ１００から受信する放送エリア管理情報を用いて放送起動制御部３１内の放送エリア管理テーブル３１Ａを更新する。
【００５０】
デジタル放送の受信可能エリアは、エリア拡張に伴い、今後拡張していくことが予想されるため、位置情報毎にいずれの放送を選択するかは変化していく。この変化に追従するために、放送エリア管理テーブル３１Ａを設け、その登録内容がネットワークＮ上の放送エリア情報管理サーバ１００から受信する情報により更新可能としている。
【００５１】
通信制御部３３は、ネットワークＮに接続し、放送エリア管理テーブル更新部３２からの指示により、ネットワークＮを介して放送エリア情報管理サーバ１００との間で放送エリア管理テーブルに関する情報の送受信処理を実行する。
【００５２】
放送エリア情報管理サーバ１００は、放送受信装置の装置種別毎に放送エリア管理情報を登録する放送エリア管理テーブル１０１を管理する。放送エリア情報管理サーバ１００は、ネットワークＮを介して放送受信装置３０との間で放送エリア管理テーブルに関する情報（装置ＩＤ、放送エリア管理情報等）の送受信処理を実行する。なお、放送エリア管理テーブル１０１の登録内容は、上記送信可能エリアの拡張等に伴って更新される。
【００５３】
放送エリア管理テーブル３１Ａの更新は、放送エリアの拡張に伴い、放送エリア管理サーバ１００からネットワークＮを介して送信される管理テーブル更新通知を放送エリア管理テーブル更新部３２が受信することによる自動起動や、ユーザによる更新操作等により実行される。
【００５４】
次に、上記放送起動制御部３１における動作について、図７に示すフローチャートを参照して説明する。
【００５５】
図７において、放送起動制御部３１は、入出力部１３からの位置情報の入力有無、あるいは位置情報検出部２１からの現在位置情報の入力有無を確認する（ステップＳ３０１）。入出力部１３から位置情報、あるいは位置情報検出部２１から現在位置情報が入力されると（ステップＳ３０１：ＹＥＳ）、放送エリア管理テーブル３１Ａを参照して（ステップＳ３０２）、入力された位置情報にて起動すべき放送がアナログ放送か、デジタル放送のいずれか、あるいは両方が起動可能かを判断する（ステップＳ３０３）。
【００５６】
放送起動制御部３１は、当該位置においてアナログ放送を動作させるべきと判断した場合、デジタル放送受信部１２が起動中か否かを確認する（ステップＳ３０４）。デジタル放送受信部１２が起動中でれば（ステップＳ３０４：ＹＥＳ）、放送起動制御部３１は、デジタル放送受信部１２を停止し（ステップＳ３０５）、アナログ放送受信部１１を起動して（ステップＳ３０６）、本処理を終了する。また、デジタル放送受信部１２が起動中でなければ（ステップＳ３０４：ＮＯ）、放送起動制御部３１は、ステップＳ３０６に移行する。
【００５７】
また、放送起動制御部３１は、ステップＳ３０３において、当該位置においてデジタル放送を動作させるべきと判断した場合、ステップＳ３０９に移行してアナログ放送受信部１１が起動中か否かを確認する。アナログ放送受信部１１が起動中であれば（ステップＳ３０９：ＹＥＳ）、放送起動制御部３１は、アナログ放送受信部１１を停止し（ステップＳ３１０）、デジタル放送受信部１２を起動して（ステップＳ３１１）、本処理を終了する。また、アナログ放送受信部１１が起動中でなければ（ステップＳ３０９：ＮＯ）、放送起動制御部３１は、ステップＳ３１１に移行する。
【００５８】
また、放送起動制御部３１は、ステップＳ３０３において、当該位置においてアナログ放送及びデジタル放送の両方可能であると判断した場合は、アナログ放送あるいはデジタル放送のいずれの起動を望むかを問い合わせるメッセージを入出力部１３に出力して、ユーザに所望の放送を問い合わせ（ステップＳ３０７）、ユーザによる入出力部１３からの放送指示の有無を確認する（ステップＳ３０８）。放送起動制御部３１は、ユーザにより放送指示が入力されアナログ放送を指示された場合はステップＳ３０４に移行し、デジタル放送を指示された場合はステップＳ３０９に移行する。
【００５９】
以上のように、本実施の形態４の放送受信装置によれば、放送エリア管理テーブルを設け、その登録内容がネットワークＮ上の放送エリア情報管理サーバから受信する情報により更新可能としたため、放送エリアの拡張に伴い登録された位置情報に対応する放送種別が変更されても、最新の放送種別に対応した受信部の起動を行うことができ、放送受信装置の利便性を向上させることができる。
【００６０】
（実施の形態５）
図８は、本実施の形態５における放送受信装置４０の構成を示すブロック図である。図８において、上記図５に示した放送受信装置３０と同一の構成部分には同一符号を付しており、その構成説明を省略する。
【００６１】
図８に示す放送受信装置４０において、異なる構成部分は、リモート放送起動制御部４１を追加したことである。放送受信装置４０は、通信制御部３３によりネットワークＮを介して放送エリア情報管理サーバ１００及び放送エリア判定サーバ２００と接続される。
【００６２】
次に、リモート放送起動制御部４１と放送エリア判定サーバ２００との間で実行される処理について説明する。
【００６３】
リモート放送起動制御部４１は、入出力部１３より入力された位置情報、位置情報検出部２１により検出された位置情報と、放送受信装置４０の種別を表す装置ＩＤを通信制御部３３を用いてネットワークＮ上に存在する放送エリア判定サーバ２００に送信する。
【００６４】
放送エリア判定サーバ２００は、受信した位置情報と装置ＩＤにより、その放送受信装置４０が指定された位置において、アナログ放送あるいはデジタル放送のいずれを起動すべきかを判断し、その判断結果を放送受信装置４０に送信する。
【００６５】
リモート放送起動制御部４１は、放送エリア判定サーバ２００から受信した判断結果に基づいて、アナログ放送受信部１１あるいはデジタル放送受信部１２のいずれかの起動、あるいは一方の受信部から他方の受信部への切り替え処理を行う。
【００６６】
以上のように、本実施の形態５の放送受信装置によれば、リモート放送起動制御部がネットワーク上の放送エリア判定サーバとの間で位置情報に対応する放送種別判定処理を実行し、受信した判定結果に基づいて起動すべき受信部を起動するようにしたため、移動体装置の移動に伴って現在位置にて受信可能な放送に対応した受信部の起動を適宜行うことが可能になる。その結果、実際に視聴を行う放送の受信部のみをユーザの視聴タイミングに合わせて動作させることができ、低消費電力で、その位置にて良好な受信状態の放送を視聴することが可能になる。
【産業上の利用可能性】
【００６７】
本発明の放送受信装置は、実際に視聴を行う放送の受信部のみをユーザの視聴タイミングに合わせて動作させることができ、低消費電力で、その位置にて良好な受信状態の放送を視聴することを可能にする点で移動体装置に搭載する放送受信装置として有用である。
【図面の簡単な説明】
【００６８】
【図１】本発明の実施の形態１に係る放送受信装置の構成を示すブロック図
【図２】本実施の形態１に係る放送起動制御部における動作を説明するためのフローチャート
【図３】本発明の実施の形態２に係る放送受信装置の構成を示すブロック図
【図４】本発明の実施の形態３に係る放送起動制御部における動作を説明するためのフローチャート
【図５】本発明の実施の形態４に係る放送受信装置の構成を示すブロック図
【図６】本実施の形態４に係る放送エリア管理テーブルの一例を示す図
【図７】本実施の形態４に係る放送起動制御部における動作を説明するためのフローチャート
【図８】本発明の実施の形態５に係る放送受信装置の構成を示すブロック図
【符号の説明】
【００６９】
１  放送受信装置
１１  アナログ放送受信部
１２  デジタル放送受信部
１３  入出力部
１４、２２、３１  放送起動制御部
１５  分配器
１６  アンテナ
２１  位置情報検出部
３１Ａ、１０１  放送エリア管理テーブル
３２  放送エリア管理テーブル更新部
３３  通信制御部
４１  リモート放送起動制御部
１００  放送エリア情報管理サーバ
２００  放送エリア判定サーバ
【図１】
2007221390.tif 000003
【図２】
2007221390.tif 000004
【図３】
2007221390.tif 000005
【図４】
2007221390.tif 000006
【図５】
2007221390.tif 000007
【図６】
2007221390.tif 000008
【図７】
2007221390.tif 000009
【図８】
2007221390.tif 000010